(57)【特許請求の範囲】
【請求項１】
散気部を備えた担体流動槽の内側上部に、前記担体流動槽で処理された被処理水を濾過する担体濾過槽と、前記担体濾過槽で濾過された被処理水を処理する処理槽とが互いに隣接するように配設され、
前記担体濾過槽の槽底部が前記担体流動槽に連通され、
前記担体流動槽の槽底部のうちの前記処理槽の直下に位置する槽底部分に前記散気部が配設され、
前記担体流動槽のうちの被処理水面を形成する上側槽部分が前記処理槽に隣り合わせて設けられ、
前記処理槽の底面が、前記担体濾過槽の側から前記上側槽部分の側へ向かうほど高くなる傾斜面を備えている浄化槽。
【請求項２】
前記担体流動槽の槽上部に被処理水を移流させる移流口が、前記上側槽部分の平面視で前記散気部を挟んで前記担体濾過槽の側とは反対側の位置に臨ませて形成されている請求項１記載の浄化槽。
【請求項３】
前記担体濾過槽の槽底部が、当該担体濾過槽に収容された担体の前記担体流動槽への流出を阻止する流出阻止部材を介して前記担体流動槽に連通され、
前記流出阻止部材の下面側が、前記処理槽の側ほど高くなる傾斜面を備えている請求項１又は２記載の浄化槽。
【発明の詳細な説明】
【技術分野】
【０００１】
本発明は、散気部を備えた担体流動槽の内側上部に、前記担体流動槽で処理された被処理水を濾過する濾過槽と、前記濾過槽で濾過された被処理水を処理する処理槽とが配設されている浄化槽に関する。
【背景技術】
【０００２】
上記浄化槽では、従来、担体流動槽のうちの被処理水面を形成する上側槽部分が濾過槽や処理槽に隣り合わせて設けられ、濾過槽や処理槽の担体流動槽の側に面する底面（以下、処理槽等の外底面という）が、水平方向に沿う扁平面に形成されている（例えば、特許文献１参照）。
【先行技術文献】
【特許文献】
【０００３】
【特許文献１】特開２００３−２４５６８０号公報
【発明の概要】
【発明が解決しようとする課題】
【０００４】
上記従来の浄化槽は、担体流動槽の被処理水が、散気部からの気泡供給により上向きに流動した後、処理槽等の水平方向に沿う扁平面に形成された外底面に沿って水平方向に流動し、さらに、担体流動槽の槽壁に沿って下向きに流動する。
このため、処理槽等の外底面に沿って流動した被処理水が、担体流動槽のうちの被処理水面を形成する上側槽部分に流入し難く、この上側槽部分に被処理水と担体が滞留し易い。
また、処理槽等の外底面が、水平方向に沿う扁平面に形成されているので、担体流動槽の担体が処理槽等の外底面にも滞留し易い。
このため、担体流動槽における被処理水の処理効率が低下するおそれがある。
本発明は上記実情に鑑みてなされたものであって、担体流動槽における被処理水の処理効率を向上させ易い浄化槽を提供することを目的とする。
【課題を解決するための手段】
【０００５】
本発明による浄化槽の第１特徴構成は、散気部を備えた担体流動槽の内側上部に、前記担体流動槽で処理された被処理水を濾過する担体濾過槽と、前記担体濾過槽で濾過された被処理水を処理する処理槽とが互いに隣接するように配設され、前記担体濾過槽の槽底部が前記担体流動槽に連通され、前記担体流動槽の槽底部のうちの前記処理槽の直下に位置する槽底部分に前記散気部が配設され、前記担体流動槽のうちの被処理水面を形成する上側槽部分が前記処理槽に隣り合わせて設けられ、前記処理槽の底面が、前記担体濾過槽の側から前記上側槽部分の側へ向かうほど高くなる傾斜面を備えている点にある。
【０００６】
本構成の浄化槽は、担体濾過槽の槽底部が担体流動槽に連通され、処理槽の直下に散気部が配設されている。
また、担体流動槽のうちの被処理水面を形成する上側槽部分が処理槽に隣り合わせて設けられ、処理槽の底面（外底面）が、担体濾過槽の側から上側槽部分の側へ向かうほど高くなる傾斜面を備えている。
【０００７】
このため、担体流動槽の被処理水を、散気部からの気泡供給により上向きに流動させた後、処理槽の外底面に沿って上側槽部分に流入するように斜め上向きに流動させ、さらに、上側槽部分の槽壁に沿って下向きに流動させ易いので、被処理水と担体が処理槽の外底面及び上側槽部分に滞留し難い。
【０００８】
したがって、本構成の浄化槽であれば、担体流動槽の被処理水と担体を処理槽の外底面及び上側槽部分に滞留し難い状態で流動させることができ、被処理水の全体に空気（酸素）を行きわたらせ易いと共に、担体と空気（酸素）及び被処理水との接触効率を高めて、担体流動槽における被処理水の処理効率を向上させ易い。
【０００９】
また、散気部からの気泡供給により上向きに流動する被処理水は、処理槽の外底面を担体濾過槽の側とは反対側の方向に向かって流れるので、被処理水が担体濾過槽の底部から担体濾過槽内に流入し難くなる。
したがって、担体濾過槽内の被処理水の流動が抑えられ、濾過性能を向上させ易い。
【００１０】
本発明の第２特徴構成は、前記担体流動槽の槽上部に被処理水を移流させる移流口が、前記上側槽部分の平面視で前記散気部を挟んで前記担体濾過槽の側とは反対側の位置に臨ませて形成されている点にある。
【００１１】
本構成であれば、移流口から担体流動槽の上側槽部分に流入した被処理水は、上側槽部分の処理槽の側から槽壁の側に向かう被処理水の流れに乗り、そして槽壁に沿って下向きに流動し、槽底部の散気部付近から処理槽の外底面へ向かう上向きの流れに乗って処理されるようになる。
したがって、本構成の浄化槽であれば、担体流動槽へ流入した被処理水がすぐに担体濾過槽に流入し難くなるため、被処理水は担体流動槽において充分な生物処理がされるようになる。これに伴い、担体流動槽内の浮遊物質（ＳＳ）の発生が少なくなるので、担体濾過槽の負荷も軽減でき、被処理水の処理効率を一層向上させ易い。
【００１２】
本発明の第３特徴構成は、前記担体濾過槽の槽底部が、当該担体濾過槽に収容された担体の前記担体流動槽への流出を阻止する流出阻止部材を介して前記担体流動槽に連通され、前記流出阻止部材の下面側が、前記処理槽の側ほど高くなる傾斜面を備えている点にある。
【００１３】
本構成であれば、担体濾過槽に収容された担体の担体流動槽への流出を防止することができると共に、流出阻止部材の下面側に担体が滞留し難くなり、流出阻止部材の下面側の担体を処理槽の外底面に向けて斜め上向きに流動させて、担体と空気（酸素）及び被処理水との接触効率を一層高め易い。
【図面の簡単な説明】
【００１４】
【図１】浄化槽の内部を示す平面図である。
【図２】浄化槽の内部を示す側面図である。
【図３】図１のIII −III 線矢視図である。
【図４】図１のIV−IV線矢視図である。
【図５】図１のＶ−Ｖ線矢視図である。
【図６】第２実施形態における浄化槽の内部を示す、図１のＶ−Ｖ線矢視図に相当する図面である。
【図７】第２実施形態における浄化槽の内部を示す側面図である。
【図８】第３実施形態における浄化槽の内部を示す、図１のＶ−Ｖ線矢視図に相当する図面である。
【図９】第４実施形態における浄化槽の内部を示す、図１のＶ−Ｖ線矢視図に相当する図面である。
【図１０】第４実施形態における浄化槽の内部を示す平面図である。
【図１１】図１０のXI−XI線矢視図である。
【発明を実施するための形態】
【００１５】
以下に本発明の実施の形態を図面に基づいて説明する。
〔第１実施形態〕
図１〜図５は、本発明による浄化槽を示す。
浄化槽は、生活排水（汚水）を被処理水として浄化処理する。
【００１６】
浄化槽の槽内は、図１，図２に示すように、被処理水を嫌気処理する嫌気処理槽Ａと、被処理水を好気処理する好気処理槽Ｂとに第１横隔壁１で区画されている。
嫌気処理槽Ａは、夾雑物除去槽Ａ１と嫌気濾床槽Ａ２とに第２横隔壁２で更に区画されている。
【００１７】
好気処理槽Ｂは、好気性微生物が担持された多数の流動担体３をばっ気用散気部４から供給される気泡で被処理水と共に流動させて好気処理する担体流動槽で構成されている。
担体流動槽（好気処理槽）Ｂの内側上部には、浄化槽本体の外周壁５に沿わせて、担体流動槽Ｂで好気処理された被処理水を処理する担体濾過槽６と処理槽１６とが配設されている。
【００１８】
担体流動槽Ｂで好気処理された被処理水を濾過する担体濾過槽６と、担体濾過槽６で濾過された被処理水を処理する処理槽１６は、第１横隔壁１に対して間隔を隔てて略平行に対向するように配設され、縦隔壁７で左右に区画されている。
【００１９】
散気部４は、担体流動槽Ｂの槽底部のうちの処理槽１６の直下に位置する槽底部分６ｃに入り込むように配設され、散気部４から出る気泡の一部が処理槽１６の底面に向かって噴出されるように設けられている。
【００２０】
担体濾過槽６は浄化槽幅方向の一方側に配設され、処理槽１６は浄化槽幅方向の中央部に配設され、担体流動槽Ｂのうちの被処理水面ＷＬを形成する上側槽部分８が、担体濾過槽６と処理槽１６に隣り合わせて仕切壁９で仕切られて、平面視で略Ｌ字状に設けられている。
【００２１】
図５に示すように、担体濾過槽６は、被処理水よりも比重が小さい多数の濾過担体１０を被処理水面近くに浮上させた浮上濾過層１１を有している。
担体濾過槽６の槽底部１２は、担体濾過槽６に収容された濾過担体１０の担体流動槽Ｂへの流出を阻止する網状の流出阻止部材１３を介して担体流動槽Ｂに連通されている。
【００２２】
処理槽１６は、処理水槽１４と、薬剤筒１５ａなどを備えた消毒槽１５とに区画されている。
担体流動槽Ｂには槽底部近くに吸込部を有する図示しないエアリフトポンプが備えられ、担体流動槽Ｂの底部から汚泥を吸引して、返送管１７を介して夾雑物除去槽Ａ１に返送する。
【００２３】
処理槽１６の底面（外底面）１８が、担体濾過槽６の側から上側槽部分８の側へ向かうほど高くなるように浄化槽幅方向に傾斜する傾斜面１８ａと、縦隔壁７に沿って帯状に形成された帯幅方向が水平方向に沿う扁平面１８ｂとを備え、流出阻止部材１３の下面側が、処理槽１６の側ほど高くなるように浄化槽幅方向に傾斜する傾斜面１９を備えている。
【００２４】
処理槽１６の底面１８の全面が傾斜面１８ａを備えているのが望ましいが、底面１８の一部が傾斜面１８ａを備えている場合には、傾斜面１８ａ以外の底面部分は扁平面に形成されているのが望ましく、好ましくはその幅が流動担体３の外径と同等以下であるのがよい。
【００２５】
外部からの被処理水（原水）は、流入部２０から第１バッフルプレート２１に案内されて夾雑物除去槽Ａ１に流入し、被処理水中の浮遊物や固形物がスカムとして槽上部に浮上分離されると共に、槽底部に汚泥として沈澱分離される。
【００２６】
夾雑物除去槽Ａ１の被処理水は、図３に示すように第２横隔壁２の被処理水面ＷＬよりも低い箇所に形成された左右の第１移流口２２から、第２バッフルプレート２３に案内されて嫌気濾床槽Ａ２の底部に流入する。
嫌気濾床槽Ａ２の底部に流入した被処理水は、嫌気濾床２４を上向きに通過しながら嫌気処理されると共に浮遊物質（ＳＳ）が捕捉される。
【００２７】
嫌気濾床２４を通過した被処理水は、図１，図４に示すように、担体流動槽Ｂの上側槽部分８のうちの、平面視で散気部４を挟んで担体濾過槽６の側とは反対側の位置に臨ませて第１横隔壁１に形成した第２移流口２５から担体流動槽Ｂの槽上部に流入する。
【００２８】
担体流動槽Ｂに流入した被処理水は、散気部４から供給される気泡で流動担体３と共に流動して好気処理され、担体濾過槽６に槽底部１２から流入する。
担体流動槽Ｂの被処理水は、散気部４からの気泡供給により上向きに流動した後、処理槽１６の外底面１８に沿って上側槽部分８に流入するように斜め上向きに流動し、さらに、上側槽部分８の外周壁５に沿って下向きに流動する。
【００２９】
これにより、担体流動槽Ｂに流入した被処理水は、担体流動槽Ｂの槽底部分６ｃ，散気部４，処理槽１６の外底面１８，外周壁５の順に沿って循環する流れに乗って処理されるので、担体流動槽Ｂで充分に生物処理された後に担体濾過槽６に流入する。
【００３０】
担体濾過槽６に流入した被処理水は、浮上濾過層１１を上向きに通過しながら汚泥などの浮遊物が捕捉された後、処理水槽１４に貯留され、消毒槽１５に流入して消毒された後、流出部２６から外部に放流される。
【００３１】
〔第２実施形態〕
図６，図７は、本発明の別実施形態を示す。
本実施形態では、処理槽１６の底面（外底面）１８が、上側槽部分８の側ほど高くなるように浄化槽幅方向及び浄化槽長手方向の三次元方向に傾斜する傾斜面１８ａと、縦隔壁７に沿って帯状に形成された帯幅方向が水平方向に沿う扁平面１８ｂとを備え、流出阻止部材１３の下面側が、処理槽１６の側ほど高くなるように浄化槽幅方向及び浄化槽長手方向の三次元方向に傾斜する傾斜面１９を備えている。
その他の構成は第１実施形態と同様である。
【００３２】
〔第３実施形態〕
図８は、本発明の別実施形態を示す。
本実施形態では、担体濾過槽６の槽底部１２が、処理槽１６の下端位置から水平方向に沿って配設した流出阻止部材１３を介して担体流動槽Ｂに連通されている。
その他の構成は第１実施形態と同様である。
【００３３】
〔第４実施形態〕
図９は、本発明の別実施形態を示す。
本実施形態では、担体濾過槽６の槽底部１２に流出阻止部材１３が設けられておらず、担体濾過槽６の槽底部１２の全体が担体流動槽Ｂに直に連通されている。
その他の構成は第１実施形態と同様である。
【００３４】
〔第５実施形態〕
図１０，図１１は、本発明の別実施形態を示す。
本実施形態では、担体流動槽Ｂの浄化槽幅方向略中央に沿って、担体流動槽Ｂを第１横隔壁１に対して直交する方向で全長に亘って仕切る仕切壁９を設けて、仕切壁９側で浄化槽幅方向の中央側に配設された処理槽１６と、浄化槽幅方向の一方側に配設された担体濾過槽６とに縦隔壁７で左右に区画され、担体流動槽Ｂのうちの被処理水面ＷＬを形成する上側槽部分８が処理槽１６に隣り合わせて浄化槽幅方向の他方側に設けられている。
【００３５】
散気部４は、担体流動槽Ｂの槽底部のうちの処理槽１６の直下に位置する槽底部分６ｃに沿って配設されている。
その他の構成は第１実施形態と同様である。
【００３６】
〔その他の実施形態〕
１．本発明による浄化槽は、比重が被処理水よりも大きい担体が担体流動槽への流出を阻止する状態で収容された担体濾過槽を有していてもよい。
２．本発明による浄化槽は、処理槽が、処理水槽と消毒槽以外の槽を設けて構成されたものであってもよく、消毒槽だけで構成されたものであってもよい。
【符号の説明】
【００３７】
３  担体
４  散気部
６  担体濾過槽
６ｃ  槽底部分
８  上側槽部分
１２  担体濾過槽の槽底部
１３  流出阻止部材
１６  処理槽
１８  底面
１８ｃ  傾斜面
１９  傾斜面
２５  移流口
Ｂ  担体流動槽
ＷＬ  被処理水面
【図１】
0005647556.tif 000002
【図２】
0005647556.tif 000003
【図３】
0005647556.tif 000004
【図４】
0005647556.tif 000005
【図５】
0005647556.tif 000006
【図６】
0005647556.tif 000007
【図７】
0005647556.tif 000008
【図８】
0005647556.tif 000009
【図９】
0005647556.tif 000010
【図１０】
0005647556.tif 000011
【図１１】
0005647556.tif 000012